(57)【要約】【課題】カウンターの下側においてコンセント装置（コンセント）とコンセント装置が隣接する部材との干渉を少なくすることができるキャビネット装置を提供する。【解決手段】天板と、天板の下側に設けられた収納部３と、を有するキャビネット装置１において、収納部３は、物品が収納される収納空間（収納本体部）３５と、収納空間３５の側方に設けられた第１収納側板部（側板部）および第２収納側板部（側板部）３８と、収納空間３５の前方に設けられた幕板（前板部）３４と、天板の直下で収納空間３５の前方かつ幕板３４の側方に設けられたコンセント装置４と、を有し、コンセント装置４は、プラグが挿し込まれるコンセント４１が第２収納側板部３８の前方に重なる位置に設けられている。【選択図】図４
2020005869.tif 000002
【特許請求の範囲】
【請求項１】
天板と、前記天板の下側に設けられた収納部と、を有するキャビネット装置において、
前記収納部は、物品が収納される収納本体部と、
前記収納本体部の側方に設けられた側板部と、
前記収納本体部の前方に設けられた前板部と、
前記天板の直下で前記収納本体部の前方かつ前記前板部の側方に設けられたコンセント装置と、を有し、
前記コンセント装置は、プラグが挿し込まれるコンセントが前記側板部の前方に重なる位置に設けられていることを特徴とするキャビネット装置。
【請求項２】
前記コンセント装置は、前記側板部に固定されている請求項１に記載のキャビネット装置。
【請求項３】
前記コンセント装置と前記側板部とは、前記コンセント装置に固定されるコンセント装置固定部と、前記コンセント装置固定部と接続され前記側板部に固定される側板固定部と、を有する固定部材によって固定されている請求項２に記載のキャビネット装置。
【請求項４】
前記コンセント装置の前面における側部には、側方に向かって漸次後側に向かうテーパ面が形成されている請求項１乃至３のいずれか一項に記載のキャビネット装置。
【請求項５】
前記前板部の後側で、前記側板部の側方に設けられる鴨居を有し、
前記コンセント装置は、前記側板部および前記鴨居の前方に設けられ、
前記側板部の前面が前記鴨居の前面よりも前側に位置し、前記側板部と前記鴨居との境界部分に第１段部が形成され、
前記コンセント装置の後面には、前記１段部と重なる第２段部が形成されている請求項１乃至４のいずれか一項に記載のキャビネット装置。
【請求項６】
前記コンセント装置の後面には、両側方の対称となる位置それぞれに前記第２段部が形成されている請求項５に記載のキャビネット装置。
【発明の詳細な説明】
【技術分野】
【０００１】
本発明は、キャビネット装置に関する。
【背景技術】
【０００２】
キッチンなどのカウンターを有するキャビネット装置として、前方（キッチンなどを使用する使用者が対向する側）でカウンターの直下にコンセントが設けられたキャビネット装置が知られている（例えば、特許文献１および２参照）。このようなキャビネット装置では、ミキサーなどの電化製品をカウンターの上で使用する際に、カウンターの直下に設けられたコンセントを使用することができ、利便性がよい。
【先行技術文献】
【特許文献】
【０００３】
【特許文献１】特開２０１６−１７１８３８号公報
【特許文献２】特開２００５−２２４２５１号公報
【発明の概要】
【発明が解決しようとする課題】
【０００４】
キャビネット装置のカウンターの下には、収納の扉や化粧板が設けられており、これらの収納の扉や化粧板などと隣接してコンセントが設けられることがある。この場合、コンセントは、収納の扉や化粧板などの隣接する部材との干渉が少ない位置に設けられることが好ましい。
【０００５】
そこで、本発明は、カウンターの下側においてコンセント装置（コンセント）とコンセント装置が隣接する部材との干渉を少なくすることができるキャビネット装置を提供することを目的とする。
【課題を解決するための手段】
【０００６】
上記目的を達成するため、本発明に係るキャビネット装置は、天板と、前記天板の下側に設けられた収納部と、を有するキャビネット装置において、前記収納部は、物品が収納される収納本体部と、前記収納本体部の側方に設けられた側板部と、前記収納本体部の前方に設けられた前板部と、前記天板の直下で前記収納本体部の前方かつ前記前板部の側方に設けられたコンセント装置と、を有し、前記コンセント装置は、プラグが挿し込まれるコンセントが前記側板部の前方に重なる位置に設けられていることを特徴とする。
【０００７】
本発明では、コンセント装置をコンセントが側板部の前方に重なる位置に設けることができることにより、コンセント装置を収納部に対して側板部に寄せた位置に設けることができる。これにより、コンセント装置と前板部との干渉を少なくすることができる。その結果、コンセント装置を設けるために前板部に施す加工を最小限またはなくすことができる。
【０００８】
また、本発明に係るキャビネット装置では、前記コンセント装置は、前記側板部に固定されていてもよい。
このような構成とすることにより、コンセント装置を、収納部に対して確実に固定することができる。
【０００９】
また、本発明に係るキャビネット装置では、前記コンセント装置と前記側板部とは、前記コンセント装置に固定されるコンセント装置固定部と、前記コンセント装置固定部と接続され前記側板部に固定される側板固定部と、を有する固定部材によって固定されていてもよい。
このような構成とすることにより、コンセント装置を収納部に容易に固定することができる。
【００１０】
また、本発明に係るキャビネット装置では、前記コンセント装置の前面における側部には、側方に向かって漸次後側に向かうテーパ面が形成されていてもよい。
このような構成とすることにより、コンセント装置の前面を前板部の前面と同一平面上となるように設置する場合でも、コンセント装置のテーパ面の後縁部を前板部の前面と前後方向に同じ位置となるように設置する場合でも、コンセント装置と前板部とを見栄えよく納めることができる。このため、厚さの異なる前板部に対しても同じ厚さのコンセント装置を隣接して設置することができる。
【００１１】
また、本発明に係るキャビネット装置では、前記前板部の後側で、前記側板部の側方に設けられる鴨居を有し、前記コンセント装置は、前記側板部および前記鴨居の前方に設けられ、前記側板部の前面が前記鴨居の前面よりも前側に位置し、前記側板部と前記鴨居との境界部分に第１段部が形成され、前記コンセント装置の後面には、前記第１段部と重なる第２段部が形成されていてもよい。
このような構成とすることにより、第２段部が第１段部と重なるようにコンセント装置を設置することにより、コンセント装置を鴨居と当接させることができ、コンセント装置を安定した状態で固定することができる。
【００１２】
また、本発明に係るキャビネット装置では、前記コンセント装置の後面には、両側方の対称となる位置それぞれに前記第２段部が形成されていてもよい。
このような構成とすることにより、鴨居と側板部との左右方向の配置が逆になった場合でも、同じコンセント装置を採用することができる。
【発明の効果】
【００１３】
本発明によれば、カウンターの下側においてコンセント装置とコンセント装置が隣接する部材との干渉を少なくすることができる。
【図面の簡単な説明】
【００１４】
【図１】本発明の第１実施形態によるキャビネット装置の一例を示す図である。
【図２】キャビネット装置のコンセント装置が設けられている部分の正面図である。
【図３】図２のＡ−Ａ線断面図である。
【図４】図２のＢ−Ｂ線断面図で天板を省略した図である。
【図５】コンセント装置の前方から見た斜視図である。
【図６】コンセント装置の後方から見た斜視図である。
【図７】図２のＣ−Ｃ線断面図である。
【図８】図７のＤ方向矢視図である。
【図９】本発明の第２実施形態によるキャビネット装置のコンセント装置が設けられている部分の正面図である。
【図１０】第２実施形態によるコンセント装置の斜視図である。
【図１１】本発明の第３実施形態によるキャビネット装置のコンセント装置が設けられている部分の正面図である。
【図１２】第３実施形態によるコンセント装置の斜視図である。
【図１３】本発明の第４実施形態によるキャビネット装置のコンセント装置が設けられている部分の正面図である。
【図１４】第４実施形態によるコンセント装置の斜視図である。
【図１５】本発明の第５実施形態によるコンセント装置およびキャビネット装置におけるコンセント装置周辺部分の正面図である。
【図１６】第５実施形態によるコンセント装置の斜視図である。
【図１７】図１５のＥ−Ｅ線断面図である。
【図１８】図１５のＦ−Ｆ線断面図である。
【図１９】第５実施形態によるコンセント装置の上面図である。
【図２０】本実施形態によるキャビネット装置およびコンセント装置の変形例を示す図で、天板を省略し上方から見た図である。
【発明を実施するための形態】
【００１５】
（第１実施形態）
以下、本発明の第１実施形態によるキャビネット装置について、図１乃至図８に基づいて説明する。
図１に示すように、第１実施形態によるキャビネット装置１は、シンク１１およびコンロ１２を有するキッチンで、平面視形状が長尺の長方形となる箱状に形成され、床面１３に設置されている。平面視形状におけるキャビネット装置１の長手方向を左右方向とし、短手方向を前後方向とする。前後方向のうち、キャビネット装置１の使用者が対向する側を前側とし、その反対側を後側とする。キャビネット装置１が対面キッチンの場合は、シンク１１およびコンロ１２を使用する使用者が主に対向する側を前側とし、その反対側を後側とする。
【００１６】
キャビネット装置１は、天板２と、天板２の下側に設けられ物品などが収納される収納部３と、を有している。
天板２は、左右方向に長く形成され、左右方向の一方側にシンク１１が設けられ、左右方向の他方側にコンロ１２が設けられている。天板２におけるシンク１１が設けられるスペースをシンクスペース１１１とし、コンロ１２が設けられるスペースをコンロスペース１２１とする。シンクスペース１１１とコンロスペース１２１とは、左右方向に離間して設けられていて、天板２におけるシンクスペース１１１とコンロスペース１２１との間には、上面が平面となる作業スペース１４１が設けられている。
天板２は、前縁部近傍がその後側よりも下側に突出していて厚く形成されている。この天板２の前縁部近傍の厚い部分を厚板部２１とし、厚板部２１よりも後側の部分を平板部２２とする。
【００１７】
収納部３は、左右方向に３つに分割されていて、シンクスペース１１１の下側に配置された第１収納部３１と、作業スペース１４１の下側に配置された第２収納部３２と、コンロスペース１２１の下側に配置された第３収納部３３と、を有している。
第１−第３収納部３１，３２，３３は、それぞれ上下方向に３段に分けられている。
第１収納部３１は、上段にシンク１１およびコンセント装置４が設けられ、中段および下段に引き出し３１１，３１２が設けられている。第１収納部３１の内部には、シンク１１と接続される給排水管などの設備（不図示）も設けられている。
第２収納部３２は、上段、中段および下段のそれぞれに引き出し３２１，３２２，３２３が設けられている。第３収納部３３は、上端にコンロ１２のグリルが設けられ、中段および下段に引き出し３３１，３３２が設けられている。
【００１８】
第１−第３収納部３１，３２，３３それぞれの中段の引き出し３１１，３２２，３３１の前面は、引き出しが閉まった状態で同一鉛直面に配置されている。第１−第３収納部３１，３２，３３それぞれの下段の引き出し３１２，３２３，３３２の前面は、引き出しが閉まった状態で同一鉛直面に配置されている。
引き出しが閉まった状態において、第１−第３収納部３１，３２，３３それぞれの下段の引き出し３１２，３２３，３３２の前面は、第１−第３収納部３１，３２，３３それぞれの中段の引き出し３１１，３２２，３３１の前面よりも後側に配置されている。
【００１９】
第１収納部３１の上段の前面には、幕板３４が設けられている。第１収納部３１の上段の幕板３４の前面は、閉まった状態の第１収納部３１の中段の引き出し３１１の前面、および第２収納部３２の上段の引き出し３２１の前面と、略面一となるように設けられている。
第１収納部３１の中段および下段の引き出し３１１，３１２、第２収納部３２および第３収納部３３は、公知の構造であるものとして、以下では説明を省略する。
【００２０】
第１収納部３１は、内部に上述した上段のシンク１１、コンセント装置４、中段および下段の引き出しが設けられる収納空間（収納本体部）３５が形成されている。
第１収納部３１は、収納空間３５の後側に設けられる収納後板部３６と、収納空間３５の左右方向の一方側に設けられる第１収納側板部３７と、収納空間３５の左右方向の他方側に設けられる第２収納側板部（側板部）３８と、収納空間３５の上段の前側に設けられる鴨居３９と、鴨居３９の前側に設けられる幕板３４（前板部）と、鴨居３９および第２収納側板部３８の前側に設けられるコンセント装置４と、中段および下段の引き出し３１１，３１２と、を有している。
【００２１】
収納後板部３６は、平板上に形成され、板面が前後方向を向く姿勢で床面１３に立設している。収納後板部３６は、上部に天板２の後縁部分が載置されている。
第１収納側板部３７および第２収納側板部３８は、それぞれ平板上に形成され、板面が左右方向を向く姿勢で床面１３に立設している。第１収納側板部３７は、上部に天板２の左右方向の一方側の側縁部分が載置されている。第２収納側板部３８は、上部に天板２のシンクスペース１１１と作業スペース１４１との境界部分が載置されている。
図３に示すように、第２収納側板部３８の上部には、天板２の平板部２２が配置され、第２収納側板部３８における上縁部分の前側に天板２の厚板部２１が配置されている。同様に、図示していないが、第１収納側板部３７の上部には、天板２の平板部２２が配置され、第１収納側板部３７における上縁部分の前側に天板２の厚板部２１が配置されている。
なお、図示していないが、第１収納側板部３７の左右方向の一方側には、壁部や化粧パネルなどが設置されていてもよい。
第１収納側板部３７および第２収納側板部３８には、収納空間３５に対向する面に中段および下段の引き出しのレール（不図示）が適宜取り付けられている。
【００２２】
鴨居３９は、平板状に形成され、板面が前後方向を向く姿勢で第１収納側板部３７と第２収納側板部３８との間に架けわたすように設けられている。
図４に示すように、鴨居３９は、左右方向の他方側の端面３９１が第２収納側板部３８の収納空間３５に対向する側の面（左右方向の一方側の面）３８１と当接して固定されている。同様に、図示していないが、鴨居３９は、左右方向の一方側の端面が第１収納側板部３７の収納空間３５に対向する側の面（左右方向の他方側の面）と当接して固定されている。
【００２３】
鴨居３９の前面３９２は、第２収納側板部３８の前端面３８２（前面）よりも後側に配置されている。
このため、鴨居３９と第２収納側板部３８との境界部分には、段部が形成されている。鴨居３９の前面３９２と、第２収納側板部３８の左右方向の一方側の面３８１との段部を後側第１段部（第１段部）３９４とし、第２収納側板部３８の左右方向の一方側の面３８１と第２収納側板部３８の前端面３８２との段部（角部）を前側第１段部（第１段部）３９３とする。
【００２４】
図示していないが、鴨居３９の前面３９２は、第１収納側板部３７の前端面３７２（前面）よりも後側に配置されている。鴨居３９と第１収納側板部３７との境界部分には、鴨居３９と第２収納側板部３８との境界部分の後側第１段部３９４および前側第１段部３９３と同様の段部が形成されている。
鴨居３９の上部には、天板２が載置されている。鴨居３９の上部には、天板２の平板部２２が配置され、鴨居３９における上縁部分の前側に天板２の厚板部２１が配置されている。
鴨居３９には、左右方向の他方側の縁部近傍に、コンセント装置４を第１収納部３１に固定するための固定部材８の第１固定具８２（詳細は後述する）が挿通される孔部と、コンセント装置４のブッシュ５１４（詳細は後述する）が挿通される孔部と、が形成されている。
【００２５】
図１に戻り、幕板３４は、平板状に形成され、板面が前後方向を向く姿勢で第１収納側板部３７および鴨居３９の前側に設置されている。幕板３４は、天板２の厚板部２１の下側に設けられている。幕板３４の上端部と天板２の厚板部２１の下端面との間には、わずかな隙間が設けられている。幕板３４の下端部は、鴨居３９の下端部よりもやや上側に配置されている。
幕板３４は、前側となる面が化粧面となり、全面が露出した状態に設置されている。
【００２６】
幕板３４は、左右方向の寸法が第１収納部３１の左右方向の寸法よりも小さく設定され、第１収納部３１に対して左右方向の一方側に寄せ取り付けられている。図４に示すように、幕板３４の左右方向の他方側の端部３４１は、第２収納側板部３８と鴨居３９のとの境界部よりも左右方向の一方側に配置されている。このため、幕板３４は、第２収納側板部３８の前側、および鴨居３９の左右方向の他方側の端部近傍の前側には配置されていない。
【００２７】
第２収納側板部３８の前側、および鴨居３９の左右方向の他方側の端部近傍の前側には、幕板３４の左右方向の他方側に隣接してコンセント装置４が設けられている。図４に示すように、コンセント装置４は、天板２の厚板部２１の直下に設置されている。
図１に示すように、上記のように設置されたコンセント装置４および幕板３４を合わせた左右方向の寸法は、第１収納部３１の中段の引き出し３１１の前板の左右方向の寸法とほぼ同じ寸法に設定されている。コンセント装置４の左右方向の他方側の端部は、第２収納側板部３８の左右方向の他方側の面３８３よりも左右方向の一方側に配置され、第２収納部３２側（左右方向の他方側）へは突出していない。
コンセント装置４は、上下方向の寸法が幕板３４の上下方向の寸法とほぼ同じ寸法で、幕板３４と同じ高さに設置されている。また、コンセント装置４および幕板３４は、上下方向の寸法が第２収納部３２の上段の引き出し３２１の前板の上下方向の寸法とほぼ同じ寸法で、第２収納部３２の上段の引き出し３２１の前板と同じ高さに設置されている。
【００２８】
図２および図５に示すように、コンセント装置４は、２つのコンセント４１が設けられていて、これらのコンセント４１に主に天板２（図２参照）の上部で使用される電気製品（例えば、ミキサーなど）のプラグ１５が挿し込まれるように設定されている。
図５および図６に示すように、コンセント装置４は、コンセント４１が設けられた本体部４２と、本体部４２のコンセント４１の上部から前側に突出する庇部４３と、本体部４２の上縁部に沿って設けられた上側パッキン４４と、本体部４２の下縁部に沿って設けられた下側パッキン４５と、を有している。コンセント装置４は、固定部材８で第１収納部３１に固定されている。
【００２９】
図３に示すように、本体部４２は、上下方向に延びる長尺に形成され、上端部が天板２の厚板部２１に下端面よりもやや下側に配置され、下端部が幕板３４の下端部とほぼ同じ高さ（鴨居３９の下端部よりもやや上側）に配置されている。本体部４２の下方には、第１収納部３１の中段の引き出し３１１の前板が設けられている。本体部４２の前後方向の寸法は、幕板３４の厚さ寸法（前後方向の寸法）とほぼ同じ長さとなるように設定されている。
図５−図７に示すように、本体部４２は、後側に設けられ第１収納部３１に固定される固定板部５と、コンセント４１が設けられ固定板部５の前側に取り付けられる取り付け部６と、を有している。
【００３０】
固定板部５は、平板状に形成され板面が前後方向を向く第１平板部５１と、平板状に形成され第１平板部５１よりも後側に突出する２つの第２平板部５２と、第１平板部５１と第２平板部５２とを接続する接続板部５３と、を有している。
２つの第２平板部５２は、それぞれ板面が上下方向に長い長方形状に形成され、固定板部５の左右方向の中央部において上下方向に間隔をあけて設けられている。
【００３１】
第１平板部５１は、２つの第２平板部５２それぞれの左右方向の両側方に位置する部分と、２つの第２平板部５２の間に位置する部分とを有し、前後方向から見て板面がＨ字形状に形成されている。
図４に示すように、第１平板部５１における、２つの第２平板部５２の間に位置する部分には、前後方向に貫通し、コンセント４１の配線が挿通される配線挿通孔５１３が形成されている。
本実施形態では、配線挿通孔５１３にコンセント４１の配線が挿通されるブッシュ５１４が取り付けられている。
【００３２】
接続板部５３は、上側の第２平板部５２の左右方向の両縁部および下縁部と第１平板部５１と接続する接続板部５３と、下側の第２平板部５２の左右方向の両縁部および上縁部と第１平板部５１と接続する接続板部５３と、の２つで構成されている。いずれの接続板部５３も、後方を向く面が後側（第２平板部５２側）から前側（第１平板部５１側）に向かって漸次第２平板部５２と離間する側（第２平板部５２の外方に向かう側）に向かう傾斜面に形成されている。
固定板部５には、第１平板部５１と接続板部５３とがなす前側第２段部（第２段部）５４、および第２平板部５２と接続板部５３とがなす後側第２段部（第２段部）５５と、が形成されている。
【００３３】
図５に示すように、取り付け部６は、コンセント４１が設置されるコンセント設置部６１と、コンセント４１に挿し込まれたプラグに接続されたコードを係止可能なコード係止部６２と、を有している。コード係止部６２はコンセント設置部６１の上部に設けられている。
【００３４】
取り付け部６は、コンセント設置部６１の前側に設けられるコンセント前板部６３と、コンセント前板部６３よりも上側かつ後側でコード係止部６２の後側に設けられるコンセント後板部６４と、コンセント前板部６３およびコンセント後板部６４の左右方向の両側に設けられる２つのコンセント側板部６５，６６と、コンセント前板部６３の下側に設けられるコンセント下板部６７と、コンセント前板部６３の上縁部とコンセント後板部６４の下縁部とを接続するコンセント上板部６８と、を有している。
取り付け部６の見付寸法（左右方向の寸法）は、コンセント４１の見付寸法と略同一となるように設計されている。
【００３５】
図７に示すように、取り付け部６は、コンセント前板部６３が固定板部５の前方に間隔をあけた状態で、固定板部５に取り付けられるように構成されている。コンセント後板部６４は、固定板部５の前方に当接または僅かな隙間をあけた状態に配置される。
取り付け部６におけるコンセント前板部６３、２つのコンセント側板部６５，６６、コンセント下板部６７およびコンセント上板部６８に囲まれた空間に、２つのコンセント４１が上下方向に並んで設置されている。
【００３６】
図２および図５に示すように、コンセント前板部６３には、２つのコンセント４１のコンセント口が上下方向に並んで設けられている。２つのコンセント口は、それぞれ後側から前側に向かって斜め下向きに開口している。２つのコンセント口には、プラグ１５が前側から後側に向かって斜め上側に向かうように挿し込まれるように構成されている。
図５および図７に示すように、コンセント前板部６３には、２つのコンセント側板部６５，６６と接続される左右方向の両端部に、左右方向の中央側から端部に向かって漸次後側に向かうテーパ面６３１が形成されている。
【００３７】
図５に示すように、コンセント上板部６８は、コンセント前板部６３の上縁部から後側に延びている。コンセント後板部６４は、コンセント上板部６８の後縁部から上側に延びている。コンセント下板部６７は、コンセント前板部６３の下縁部から後側に延びている。
コンセント側板部６５，６６は、板面が長方形となる平板上に形成され、板面が左右方向を向く向きでコンセント前板部６３、コンセント後板部６４、コンセント上板部６８およびコンセント下板部６７の左右方向の両側に設けられている。コンセント側板部６５，６６は、下部側がコンセント前板部６３の左右方向の縁部から後側に延び、上部側がコンセント後板部６４の左右方向の縁部から前側に延びている。
【００３８】
コンセント上板部６８の上面６８１は、平坦面ではなく、幅方向の中央部分６８２が幅方向の両端部分６８３よりも上側に突出している。コンセント上板部６８の上面６８１における幅方向の中央部分６８２は、ほぼ水平面となるように形成されている。コンセント上板部６８の上面６８１における幅方向の両端部分６８３は、前側から後側に向かって上側に向かう傾斜面に形成されている。
【００３９】
コード係止部６２は、取り付け部６におけるコンセント上板部６８よりも上側の部分に相当し、コンセント上板部６８、コンセント後板部６４、２つのコンセント側板部６５，６６に囲まれた凹部６９が形成されている。コード係止部６２は、コンセント上板部６８の上面６８１の幅方向の中央部分６８２における前縁部分から上側に突出するフック部７１を有している。
【００４０】
フック部７１は、コンセント上板部６８から上側に延びる第１突出片７２と、第１突出片７２の上縁部から後側に延びる第２突出片７３と、を有している。第２突出片７３の上面は、コンセント側板部６５，６６の上端部とほぼ同じ高さに配置され、第２突出片７３の後端部（先端部）は、コンセント後板部６４よりも前側に配置され、コンセント後板部６４と離間している。また、フック部７１は、２つのコンセント側板部６５，６６とも離間している。
【００４１】
コード係止部６２にコードを引っ掛けるには、まず、コードを前方に開口するようにＵ字形状に曲げ、フック部７１とコンセント後板部６４および２つのコンセント側板部６５，６６との間に、コードでフック部７１を囲むように上方からコードを挿入する。図２に示すように、コードを第２突出片７３の下側に配置することにより、コードが鉛直方向上方に移動しても第２突出片７３と当接して、コード係止部７からコードが抜けることが防止される。
【００４２】
上側パッキン４４は、コンセント後板部６４の前面に沿って設けられ、上縁部がコンセント後板部６４の上端部よりも上方に突出している。上側パッキン４４は、上縁部がその下側よりも左右方向の両側に突出していて、左右方向の両側に突出している部分がそれぞれコンセント側板部６５，６６の上部に配置されている。
上側パッキン４４は、取り付け部６の左右方向の全長と略同じ長さに形成されている。
図３に示すように、上側パッキン４４は、天板２の厚板部２１の下端面と当接するように構成されている。
【００４３】
取り付け部６は、固定板部５に取り付けられると、コンセント後板部６４の上端部が固定板部５の上端部よりも上側に突出し、コンセント側板部６５，６６が固定板部５の左右方向の両側に配置される。
このため、上側パッキン４４は、取り付け部６が固定板部５に取り付けられると、固定板部５よりも上側に突出している。
【００４４】
下側パッキン４５は、コンセント下板部６７に係止され、コンセント下板部６７の後縁部近傍からコンセント下板部６７の下面よりも下側に突出している。
下側パッキン４５は、取り付け部６の左右方向の全長と略同じ長さに形成されている。
取り付け部６は、固定板部５に取り付けられると、コンセント下板部６７の下端部が固定板部５の下端部よりも下側に突出している。
このため、下側パッキン４５は、取り付け部６が固定板部５に取り付けられると、固定板部５よりも下側に突出している。
図３に示すように、下側パッキン４５は、第１収納部３１の中段の引き出し３１１の前板の上端面と当接するように構成されている。
【００４５】
図５に示すように、庇部４３は、コンセント前板部６３から前方に突出している。庇部４３は、コンセント前板部６３におけるコンセント口の上側から前側に向かって漸次下側に向かうように伸びる庇上板部４３１と、庇上板部４３１と連続しコンセント前板部６３におけるコンセント口の左右方向の両側それぞれ前側に延びる２つの庇側板部４３２と、を有している。
【００４６】
庇上板部４３１は、板面が長方形となる平板状に形成され、後縁部および前縁部が左右方向に延び、前縁部が後縁部よりも下側となる向きに配置されている。
庇側板部４３２は、板面が三角形となる平板状に形成され、板面が左右方向を向く姿勢で、庇上板部４３１とコンセント前板部６３とがなす角部の内側に配置されている。
庇部４３は、２つのコンセント４１，４１それぞれに対して設けられている。上側にコンセント４１の上側に設けられる庇部４３は、コード係止部６２よりも下側に設けられている。
【００４７】
図４および図７に示すように、このようなコンセント装置４は、第２収納側板部３８および鴨居３９の左右方向の他方側の縁部近傍の前側に配置されると、第２収納側板部３８の前側に、固定板部５の第１平板部５１および接続板部５３それぞれにおける第２平板部５２よりも左右方向の他方側となる部分が配置される。また、鴨居３９の前側には、固定板部５の第１平板部５１および接続板部５３それぞれにおける第２平板部５２よりも左右方向の一方側となる部分、および第２平板部５２が配置される。
【００４８】
このとき、鴨居３９の前面３９２と、第２収納側板部３８の左右方向の一方側の面３８１とがなす後側第１段部３９４の前側に、固定板部５の第２平板部５２と接続板部５３とがなす後側第２段部５５が重なり、第２収納側板部３８の左右方向の一方側の面３８１と前端面３８２とがなす前側第１段部３９３の前側に、第１平板部５１と接続板部５３とがなす前側第２段部５４が重なる。
本実施形態では、固定板部５の第１平板部５１の後面と第２平板部５２の後面との前後方向の離間距離が、鴨居３９の前面３９２と第２収納側板部３８の前端面３８２との前後方向の離間距離と同じ、または鴨居３９の前面３９２と第２収納側板部３８の前端面３８２との前後方向の離間距離よりもやや長くなるように設定されている。
このため、コンセント装置４の固定板部５の第２平板部５２の後面は、鴨居３９の前面３９２と当接するように構成されている。
【００４９】
図４、図６、図７に示すように、固定部材８は、Ｌ字形金具８１と、Ｌ字形金具８１とコンセント装置４とを固定する第１固定具８２と、Ｌ字形金具８１と第２収納側板部３８とを固定する第２固定具８３と、を有している。
Ｌ字形金具８１は、それぞれ平板状に形成され、直角を成すように連続するコンセント装置固定部８４と側板固定部８５とを有している。Ｌ字形金具８１は、長尺の部材で、上下方向に延びる向きに配置されている。
【００５０】
Ｌ字形金具８１は、鴨居３９の後面３９５と第２収納側板部３８の左右方向の一方側の面とが形成する角部に設けられる。この角部にＬ字形金具８１が設けられると、コンセント装置固定部８４は、その板面が前後方向を向き前面が鴨居３９の後面３９５と当接し、側板固定部８５は、その板面が左右方向を向き左右方向の他方側の面が第２収納側板部３８の左右方向の一方側の面と当接している。
図４、７、８に示すように、コンセント装置固定部８４は、コンセント装置４の固定板部５との間に鴨居３９を介した状態でネジなどの第１固定具８２で固定板部５と固定されるように構成されている。第１固定具８２は、固定板部５に形成された孔部、および鴨居３９に形成された孔部に挿通される。
側板固定部８５は、第２収納側板部３８の左右方向の一方側の面と当接した状態でネジなどの第２固定具８３で第２収納側板部３８に固定されるように構成されている。
固定部材８は、コンセント装置４を第２収納側板部３８に固定するように構成されている。
【００５１】
続いて、コンセント装置４を第１収納部３１に取り付ける方法について説明する。
まず、固定部材８のＬ字形金具８１の側板固定部８５を第２固定具８３で第２収納側板部３８に固定する。このとき、側板固定部８５を第２収納側板部３８の左右方向の一方側の面と当接させ、コンセント装置固定部８４を鴨居３９の後面３９５と当接させる。
続いて、コンセント装置４の固定板部５を鴨居３９および第２収納側板部３８の前側に設置し、固定板部５の第２平板部５２を鴨居３９の前面３９２と当接させる。
第１固定具８２を固定板部５および鴨居３９に貫通させ、第１固定具８２で固定板部５とコンセント装置固定部８４とを鴨居３９を介して連結させる。
【００５２】
続いて、取り付け部６を固定板部５に取り付ける。このとき、コンセント４１の配線を固定板部５の孔部および鴨居３９の孔部に挿通させ、鴨居３９の後側に引き出した状態とし、第１収納部３１の内部において配線を電源に接続する。
このようにしてコンセント４１部材が第１収納部３１に取り付けられる。
【００５３】
コンセント装置４は、第１収納部３１に取り付けられると、コンセント４１が第２収納側板部３８の前方に配置されている。
コンセント装置４のコンセント４１に挿し込まれたプラグ１５に接続されたコードは、上方に引き回されてコード係止部６２のフック部７１に引っ掛けることができる。
【００５４】
次に、上述した第１実施形態によるキャビネット装置の作用・効果について図面を用いて説明する。
上述した第１実施形態によるキャビネット装置１では、コンセント４１が第２収納側板部３８の前方に重なる位置となるようにコンセント装置４を設けることができる。このため、コンセント装置４を第１収納部３１に対して第２収納側板部３８に寄せた位置に設けることができる。これにより、コンセント装置４と幕板３４との干渉を少なくすることができ、コンセント装置４を設けるために幕板３４に施す加工を最小限またはなくすことができる。
【００５５】
また、コンセント装置４は、第２収納側板に固定されていることにより、コンセント装置４を、収納部３に対して確実に固定することができる。
また、コンセント装置４と側板とは、第１固定具８２でコンセント装置４に固定されるコンセント装置固定部８４と、コンセント装置固定部８４と接続され第２固定具８３で第２収納側板部３８に固定される側板固定部８５と、を有する固定部材８によって第１収納部３１に固定されていることにより、コンセント装置４を第１収納部３１に容易に固定することができる。
【００５６】
また、コンセント装置４の前面には、側部に側方に向かって漸次後側に向かうテーパ面６３１が形成されている。これにより、コンセント装置４の前面を幕板３４の前面と同一平面上となるように設置する場合でも、コンセント装置４のテーパ面６３１の後縁部を幕板３４の前面と前後方向に同じ位置となるように設置する場合でも、コンセント装置４と幕板３４とを見栄えよく納めることができる。このため、厚さの異なる幕板３４に対しても同じ厚さのコンセント装置４を隣接して設置することができる。
なお、本実施形態では、コンセント装置４の前後方向の寸法は、幕板３４の厚さ寸法（前後方向の寸法）とほぼ同じ長さとなるように設定されていて、コンセント装置４の前面を幕板３４の前面と同一平面上となるように設置している。
【００５７】
また、本実施形態では、第２収納側板部３８の前面が鴨居３９の前面３９２よりも前側に位置し、第２収納側板部３８と鴨居３９との境界部分に後側第１段部３９４および前側第１段部３９３が形成されている。コンセント装置４の後面には、後側第１段部３９４と重なる後側第２段部５５が形成されている。そして、コンセント装置４は、後側第２段部５５が後側第１段部３９４と重なり、前側第２段部５４が前側第１段部３９３と重なるようにコンセント装置４を設置している。これにより、コンセント装置４を鴨居３９と当接させることができ、コンセント装置４を安定した状態で固定することができる。
【００５８】
また、コンセント装置４の後面には、両側方の対称となる位置それぞれに後側第２段部５５が形成されていることにより、鴨居３９と第２収納側板部３８との左右方向の配置が逆になった場合でも、同じコンセント装置４を採用することができる。
【００５９】
（第２実施形態）
次に、他の実施形態について、添付図面に基づいて説明するが、上述の第１実施形態と同一又は同様な部材、部分には同一の符号を用いて説明を省略し、他の実施形態と異なる構成について説明する。
図９示すように、第２実施形態によるキャビネット装置１Ｂは、コンセント装置４Ｂのコード係止部６２Ｂの形態が第１実施形態のキャビネット装置と異なっている。
【００６０】
図１０に示すように、第２実施形態によるコンセント装置４Ｂでは、コード係止部６２Ｂのフック部７１Ｂは、上板部の前縁部における左右方向の中央部分から上側に延び板面が前後方向を向く第１板部７５１と、第１板部７５１の左右方向の中央部から後側に延びる第２板部７５２と、第１板部７５１の左右方向の両端部近傍それぞれから後側に延びる２つの第３板部７５３と、を有している。第２板部７５２と２つの第３板部７５３とは左右方向に離間している。第２板部７５２および第３板部７５３は、それぞれ下縁部が上板部と接続されている。２つの第３板部７５３は、第２板部７５２よりも前後方向の長さが短く形成されている。
【００６１】
また、第２実施形態では、コード係止部６２Ｂには、左右方向の両側それぞれに位置する２つのコンセント側板部６５，６６の上縁部から左右方向の内側（２つのコンセント側板部６５，６６が対向する側）に向かって延びる上側突出片７５４と、コンセント側板部６５，６６の前縁部におけるコンセント上板部６８よりも上側の部分から左右方向の内側に向かって延びる前側突出片７５５と、を有するコード抜け防止部７５６が設けられている。
【００６２】
上側突出片７５４の前縁部と前側突出片７５５の上縁部とは連続している。上側突出片７５４および前側突出片７５５はフック部７１Ｂと離間している。一方のコンセント側板部６５と接続された上側突出片７５４および前側突出片７５５と、他方のコンセント側板部６６と接続された上側突出片７５４および前側突出片７５５とは、左右方向に離間していて、これらの間にフック部７１Ｂが配置されている。
【００６３】
第２実施形態では、フック部７１とコード抜け防止部７５６との間からフック部７１にコードを引っ掛けるように構成されている。
第２実施形態においても、コード係止部６２Ｂはコンセント設置部６１（コンセント４１）の上方に配置されている。
第２実施形態においても、コンセント装置４Ｂは、第２収納側板部３８および鴨居３９の前側に幕板３４と左右方向に隣接して設けられていて、コンセント４１が第２収納側板部３８の前側に設置されている。
【００６４】
第２実施形態によるキャビネット装置１Ｂでは、第１実施形態の同様の効果を奏する。また、第２実施形態によるキャビネット装置１Ｂでは、コンセント装置４Ｂのコード係止部６２Ｂにコード抜け防止部７５６が設けられていることにより、フック部７１Ｂに引っ掛けられた上方に移動しようとするとコード抜け防止部７５６と当たって上方への移動が拘束されるため、コードがフック部７１Ｂから抜けてしまうことを防止することができる。
【００６５】
（第３実施形態）
図１１に示すように、第３実施形態によるキャビネット装置１Ｃは、コンセント装置４Ｃのコード係止部６２Ｃの形態が、上述した実施形態のキャビネット装置と異なっている。
図１２に示すように、第３実施形態によるコンセント装置４Ｃでは、取り付け部６Ｃにコンセント後板部が設けられておらず、コンセント上板部６８Ｂがコンセント前板部６３の上縁部から後側に向かって漸次上側に向かって傾斜するように延びる傾斜部６８４と、傾斜部６８４の上縁部から後側に延びる水平部６８５と、を有している。傾斜部６８４の上縁部（後縁部）は取り付け部６Ｃの前後方向の中間部に配置され、水平部６８５の後縁部は、取り付け部６Ｃの後縁部に配置されている。
本実施形態では、上側の庇部４３の庇上板部４３１は、コンセント前板部６３の上縁部から前側に向かって漸次下側に向かって傾斜するように延びている。上側の庇部４３の庇上板部４３１と、コンセント上板部６８Ｂの傾斜部６８４とは、同じ角度に傾斜していて、それぞれの上面が面一となっている。
コンセント側板部６５Ｂ，６６Ｂの上縁部は、前側がコンセント上板部６８Ｂの傾斜部６８４の左右方向の縁部に沿って後側に向かって漸次上側に向かって傾斜するように延び、後側がコンセント上板部６８Ｂの水平部６８５の左右方向の縁部に沿って水平に延びている。
【００６６】
コード係止部６２Ｃは、コンセント設置部６１とは別体に形成され、コンセント上板部６８の傾斜部６８４の上側に設けられている。コード係止部６２Ｃは、コンセント設置部６１よりも弾性変形しやすい部材でブロック状に形成されている。本実施形態では、コード係止部６２Ｃは、外形が底面が略直角三角形となる三角柱状に形成され、その軸線が左右方向に延びる向きに設置されている。このように設置されたコード係止部６２Ｃは、水平面となる上面６２４ａと、上面の前縁部から下側に延びて鉛直面となる前面６２４ｂと、前面の下縁部から上面の後縁部まで後側に向かって漸次上側に向かって延びる傾斜面となる後下面６２４ｃと、左右方向の両側に配置される側面６２４ｄ，６２４ｄと、を有している。
コード係止部６２Ｃとコンセント設置部６１とは、左右方向の寸法がほぼ同じ値となるように設計されている。コード係止部６２Ｃは、後下面６２４ｃがコンセント上板部６８Ｂの傾斜部６８４と当接し、上面６２４ａがコンセント上板部６８Ｂの水平部６８５と面一となり、前面６２４ｂがコンセント前板部６３の前面と面一となり、側面６２４ｄがコンセント側板部６５，６６の外側の面と面一となるように配置されている。
【００６７】
コード係止部６２には、左右方向の略中央部に前側から後側に向かって漸次上側に向かう斜め方向に貫通するコード配置スペース６２１が形成されている。
コード係止部６２Ｃにおけるコード配置スペース６２１の前側の部分を、コード配置スペース６２１とコード係止部６２Ｃの前方とを仕切る仕切り部６２２とする。仕切り部６２２には、左右方向のほぼ中央部に仕切り部６２２を左右方向に分断する切込み部６２３が形成されている。仕切り部６２２は、通常、切込み部６２３が開いていない状態となっていて、切込み部６２３の両側を上下方向また前後方向に弾性変形させることで切込み部６２３が開くように構成されている。
【００６８】
コード係止部６２Ｃにコードを係止させるには、コンセント４１に挿し込まれたプラグ１５に接続されたコードをプラグ１５から上方に伸ばした状態とし、この状態のコードを仕切り部６２２に押し付けて仕切り部６２２を弾性変形させて切込み部６２３を押し開き、切込み部６２３からコード配置スペース６２１にコードを配置する。コード配置スペース６２１にコードが配置されると、仕切り部６２２の弾性変形が復元されて切込み部６２３を閉じた状態となる。これにより、コードの前側に仕切り部６２２が配置された状態となり、コードがコード配置スペース６２１から容易に外れないように構成されている。なお、コードで仕切り部６２２の切込み部６２３近傍を押して仕切り部６２２を弾性変形させ、コードを切込み部６２３から滑り込ませるようにしてコード配置スペース６２１に押し入れるようにすると、コード係止部６２Ｃにコードをように係止させることができる。
【００６９】
第３実施形態においても、コード係止部６２Ｃは、コンセント設置部６１（コンセント４１）の上方に配置されている。
第３実施形態においても、コンセント装置４は、第２収納側板部３８および鴨居３９の前側に幕板３４と左右方向に隣接して設けられている。コンセント装置４のコンセント４１は、第２収納側板部３８の前側に設置されている。
【００７０】
第３実施形態によるキャビネット装置１Ｃでは、第１実施形態の同様の効果を奏する。また、第３実施形態によるキャビネット装置１Ｃでは、コード係止部６２Ｃに係止されたコードは、前方に仕切り部６２２が配置されるため、コード係止部６２Ｃから容易に外れることを防止することができる。
【００７１】
（第４実施形態）
図１３に示すように、第４実施形態によるキャビネット装置１Ｄは、コンセント装置４Ｄのコード係止部６２Ｄの形態が上述した実施形態のキャビネット装置と異なっている。
図１４に示すように、第４実施形態によるコンセント装置４Ｄでは、コード係止部６２Ｄは、コンセント設置部６１と一体のブロック状に形成されている。コード係止部６２Ｄは、弾性変形可能に構成されている。コード係止部６２Ｄには、前側から後側に向かって漸次上側に向かう斜め方向に貫通するコード配置スペース６２１Ｄと、コード配置スペース６２１Ｄとコード係止部６２Ｄの前方とを仕切る仕切り部６２２Ｂと、が左右方向に間隔をあけて２つ設けられている。仕切り部６２２Ｂには、左右方向のほぼ中央部に仕切り部６２２を左右方向に分断する切込み部６２３Ｂが形成されている。第４実施形態では、２つのコード配置スペース６２１Ｄそれぞれに対して、第３実施形態と同様にコードを係止させることができる。
【００７２】
第４実施形態においても、コード係止部６２Ｄはコンセント設置部６１（コンセント４１）の上方に配置されている。
第４実施形態においても、コンセント装置４は、第２収納側板部３８および鴨居３９の前側に幕板３４と左右方向に隣接して設けられている。コンセント装置４のコンセント４１は、第２収納側板部３８の前側に設置されている。
【００７３】
第４実施形態によるキャビネット装置１Ｄでは、第３実施形態の同様の効果を奏する。
また、第４実施形態によるキャビネット装置１Ｄでは、コード係止部６２Ｄには、コード配置スペース６２１Ｄおよび切込み部６２３Ｂが形成された仕切り部５２２Ｂが左右方向に間隔をあけて２つ設けられている。これにより、図１３に示すように、２つのコンセント４１，４１それぞれに挿し込まれたプラグ１５のコードを個別にコード係止部６２Ｄに係止させることができる。これにより、コード係止部が２つのコードをまとめて係止する場合と比べて、コードをコード係止部に係止させたり、外したりする際に他のコードを動かしてコード係止部から外してしまうことを防止することができる。
【００７４】
（第５実施形態）
図１５に示すように、第５実施形態によるコンセント装置４Ｅは、コード係止部６２Ｅの形態が上述した実施形態のコンセント装置と異なっている。
図１６−図１８に示すように、第５実施形態によるコンセント装置４Ｅでは、第３実施形態と同様に取り付け部６Ｅにコンセント後板部が設けられておらず、コンセント上板部６８Ｅがコンセント前板部６３の上縁部から後側に向かって漸次上側に向かって傾斜するように延びる傾斜部６８４Ｅ（図１７参照）と、傾斜部６８４Ｅの上縁部から後側に延びる水平部６８５Ｅ（図１７参照）と、を有している。
第５実施形態においても、上側の庇部４３の庇上板部４３１と、コンセント上板部６８Ｅの傾斜部６８４Ｅとは、同じ角度に傾斜していて、それぞれの上面が面一となっている。
コンセント側板部６５Ｅ，６６Ｅ（図１６参照）の上端部は、コンセント上板部６８Ｅよりも上側に突出している。
【００７５】
コード係止部６２Ｅは、コンセント上板部６８Ｅの上部に設けられるコード係止部材６２５と、上側の庇部４３の庇側板部４３２，４３２それぞれの上縁部から上側に突出する一対のコード係止側板部６２６と、を有している。
一対のコード係止側板部６２６は、左右方向に間隔をあけた状態で対向している。
図１６に示すように、一対のコード係止側板部６２６は、後縁部６２６ａがコンセント側板部６５Ｅ，６６Ｅの前縁部と接続され、それぞれ前縁部６２６ｂが上側の庇部４３の庇側板部４３２，４３２の前縁部から上側に延び、上縁部が前縁部の上端部から後側に向かって漸次上側に向かう斜め方向に延びている。
【００７６】
図１６−図１９に示すように、コード係止部材６２５は、コンセント上板部６８Ｅの上部に取り付けられる基部６２７と、基部６２７から前側に突出する突出部６２８と、を有している。
基部６２７は、コンセント上板部６８Ｅの傾斜部６８４Ｅ（図１７参照）の上に設けられる第１基部６２７ａと、第１基部６２７ａの後側に接続されコンセント上板部６８Ｅの水平部６８５Ｅ（図１７参照）の上に設けられる第２基部６２７ｂと、第１基部６２７ａおよび第２基部６２７ｂの左右方向の両側に接続されコンセント側板部６５Ｅ，６６Ｅそれぞれの上に設けられる一対の第３基部６２７ｃと、を有している。
第１基部６２７ａ、第２基部６２７ｂおよび一対の第３基部６２７ｃ，６２７ｃは、それぞれの上面が連続して面一の水平面となるように配置されている。
基部６２７の前面（第１基部６２７ａの前面）は、鉛直面となるように配置されている。
本実施形態では、第２基部６２７ｂの後縁部から上側に突出する上側パッキン４４Ｅが基部６２７と一体に設けられている。
【００７７】
図１６および図１９に示すように、突出部６２８は、第１基部６２７ａの前面から前側に突出している。突出部６２８は、上側の庇部４３の庇上板部４３１の上側、かつ一対のコード係止側板部６２６，６２６の間に配置されている。突出部６２８は、上側の庇部４３の庇上板部４３１の上面および一対のコード係止側板部６２６，６２６それぞれの内側の面（互いに対向する面）と離間している。
突出部６２８の前端部は、上側の庇部４３の庇上板部４３１の前端部の直上に配置されている。
【００７８】
図１６−図１８に示すように、突出部６２８の上面６２８ｃは、突出方向の基端側から先端側に向かって（後側から前側に向かって）漸次下側に向かう傾斜面に形成されている。突出部６２８の上面６２８ｃの傾斜は、庇上板部４３１の上面の傾斜とほぼ同じで、突出部６２８の上面６２８ｃと、庇上板部４３１の上面とは平行に設けられている。また、突出部６２８の上面６２８ｃは、一対のコード係止側板部６２６の上縁部と同一面上に配置されている。
【００７９】
突出部６２８の下面６２８ｄは、突出方向の基端側から先端側に向かって漸次下側に向かう傾斜面に形成されている。突出部６２８の下面６２８ｄの傾斜は、庇上板部４３１の上面のよりも緩くなっている。突出部６２８は、左右方向から見て突出方向の基端側から先端側に向かって上下方向の寸法が漸次小さくなる先細り形状となっている。このため、突出部６２８の下面６２８ｄと庇上板部４３１の上面との上下方向の間隔は、突出方向の基端側から先端側に向かって漸次大きくなっている。
【００８０】
突出部６２８は、先端側の部分となる前側部分６２８ａが、基端側となる後側部分６２８ｂよりも左右方向に長く、後側部分６２８ｂよりも左右方向の両側に突出していて、平面視形状がＴ字形となっている。突出部６２８の前側部分６２８ａを幅広部分６２８ａとし、後側部分６２８ｂを幅狭部分６２８ｂとする。
【００８１】
コード係止部材６２５には、幅狭部分６２８ｂの左右方向の両側に基部６２７と幅広部分６２８ａとに前後から挟まれた第１スペース６２９ａが形成され、第１スペース６２９ａの下側に連続して突出部６２８と上側の庇部４３の庇上板部４３１とに上下方から挟まれた第２スペース６２９ｂが形成され、第１スペース６２９ａおよび第２スペース６２９ｂの左右方向の外側に連続して突出部６２８とコード係止側板部６２６に左右方向から挟まれた第３スペース６２９ｃが形成されている。第３スペース６２９ｃは前方に開口している。
第１スペース６２９ａおよび第２スペース６２９ｂは、コードが配置されるコード配置スペース６２１Ｅとなり、第３スペース６２９ｃは、コード配置スペース６２１Ｅに出し入れされるコードが通過する通路となっている。
【００８２】
コード係止部６２Ｅにコードを係止させるには、コンセント４１に挿し込まれたプラグ１５に接続されたコードをプラグ１５から上方に伸ばした状態とし、この状態のコードをコード係止部材６２５のいずれかの第３スペース６２９ｃに前方から入れ、コードを後方に移動させるとともに左右方向の中央側に移動させてコード配置スペース６２１Ｅに配置する。
コードのうちコード係止部材６２５の第１スペース６２９ａに配置された部分の前側に突出部６２８の幅広部分６２８ａが配置されていることにより、コードがコード配置スペース６２１Ｅから前側に抜け出にくい構造となっている。
【００８３】
図１５に示すように、第５実施形態においても、コード係止部６２Ｅはコンセント設置部６１（コンセント４１）の上方に配置されている。
第５実施形態においても、コンセント装置４Ｅは、キャビネット装置１Ｅの第２収納側板部３８および鴨居３９の前側に幕板３４と左右方向に隣接して設けられている。コンセント装置４Ｅのコンセント４１は、第２収納側板部３８の前側に設置されている。
【００８４】
第５実施形態によるコンセント装置４Ｅでは、上記の実施形態の同様の効果を奏する。  
また、上記の第５実施形態では、コード係止部６２Ｅの突出部６２８の上面と一対のコード係止側板部６２６の上縁部とが同一平面上に配置されるため、使用者がコード係止部６２Ｅの突出部６２８に意図せずに干渉することを防止することができる。
【００８５】
以上、本発明によるキャビネット装置の実施形態について説明したが、本発明は上記の実施形態に限定されるものではなく、その趣旨を逸脱しない範囲で適宜変更可能である。
例えば、上記の実施形態では、キャビネット装置１はキッチンであるが、洗面台や収納家具などであってもよい。
また、上記の実施形態では、コンセント装置４は、第２収納側板部３８に固定されているが、コンセント装置４が第１収納部３１に対して固定される場所は適宜設定されてよい。また、コンセント装置４を第１収納部３１に固定する固定部材８の形状は上記以外であってもよい。
また、上記の実施形態では、コンセント装置４の前面には、側部に側方に向かって漸次後側に向かうテーパ面６３１が形成されているが、このようなテーパ面６３１が形成されていなくてもよい。
【００８６】
また、上記の実施形態では、また、本実施形態では、第２収納側板部３８の前面が鴨居３９の前面３９２よりも前側に位置し、第２収納側板部３８と鴨居３９との境界部分に後側第１段部３９４および前側第１段部３９３が形成されている。コンセント装置４の後面には、後側第１段部３９４と重なる後側第２段部５５が形成され、前側第１段部３９３と重なる前側第２段部５４が形成されている。
そして、コンセント装置４は、後側第２段部５５が後側第１段部３９４と重なり、前側第２段部５４が前側第１段部３９３と重なるようにコンセント装置４を設置している。これに対し、第２収納側板部３８の前面と鴨居３９の前面３９２との位置関係は上記以外で段部が形成されていなくてもよい。また、コンセント装置４にも段部が形成されていなくてもよいし、第２段部が左右方向の両側でなくいずれか一方側のみに形成されていてもよい。
【００８７】
また、上記の実施形態では、コンセント装置４は、左右方向の他方側の端部が第２収納側板部３８の左右方向の他方側の面３８３よりも左右方向の一方側に配置され、第２収納部３２側（左右方向の他方側）へは突出しないように設けられている。
これに対し、図２０に示すように、コンセント装置４は、左右方向の他方側の端部が第２収納側板部３８の左右方向の他方側の面３８３よりも第２収納部３２側へ突出するように設けられていてもよい。第１収納部３１の第２収納側板部３８の左右方向の他方側に、第２収納部３２の左右方向一方側の第１収納側板部３７Ｂが隣接して設けられている場合には、コンセント装置４は、第２収納部３２の第１収納側板部３７Ｂ、および第１収納部３１の第２収納側板部３８それぞれの前側に跨って設けられていてもよい。
【符号の説明】
【００８８】
１，１Ｂ−１Ｅ  キャビネット装置
２  天板
３  収納部
４，４Ｂ−４Ｅ  コンセント装置  
８  固定部材  
３４  幕板（前板部）
３５  収納空間（収納本体部）
３８  第２収納側板部（側板部）
３９  鴨居
４１  コンセント
５４  前側第２段部（第２段部）
５５  後側第２段部（第２段部）
６２，６２Ｂ−６２Ｅ  コード係止部
８４  コンセント装置固定部
８５  側板固定部
３９２  前面
３９３  前側第１段部（第１段部）
３９４  後側第１段部（第１段部）
６３１  テーパ面
【図１】
2020005869.tif 000003
【図２】
2020005869.tif 000004
【図３】
2020005869.tif 000005
【図４】
2020005869.tif 000006
【図５】
2020005869.tif 000007
【図６】
2020005869.tif 000008
【図７】
2020005869.tif 000009
【図８】
2020005869.tif 000010
【図９】
2020005869.tif 000011
【図１０】
2020005869.tif 000012
【図１１】
2020005869.tif 000013
【図１２】
2020005869.tif 000014
【図１３】
2020005869.tif 000015
【図１４】
2020005869.tif 000016
【図１５】
2020005869.tif 000017
【図１６】
2020005869.tif 000018
【図１７】
2020005869.tif 000019
【図１８】
2020005869.tif 000020
【図１９】
2020005869.tif 000021
【図２０】
2020005869.tif 000022